(57)【特許請求の範囲】
【請求項１】
ラウンド型ショーケース背面部の支柱から両側方に延長する一対の第１ブラケットと、前方斜め横方向に延長する一対の第２ブラケットとに載置されることにより、前記支柱に支持される陳列棚であって、平面視略コ字状の棚板と、当該棚板の外周側端部の下面を支持する棚板支持板を備えた枠体とから構成されるラウンド型ショーケースの陳列棚において、
前記枠体は、前記第１ブラケットに沿って延長するとともに、当該第１ブラケットを上側から覆うように形成された一対の支持部材を備えたことを特徴とするラウンド型ショーケースの陳列棚。
【請求項２】
前記支持部材は、前記第１ブラケットの側面側に対し、着脱可能に固定する固定部材を備えたことを特徴とする請求項１に記載のラウンド型ショーケースの陳列棚。
【請求項３】
少なくとも前記支持部材にネジ穴を形成し、前記固定部材として、頭部に樹脂材を被覆したネジを用いたことを特徴とする請求項２に記載のラウンド型ショーケースの陳列棚。
【請求項４】
前記枠体の下面側に、前記第１ブラケットの先端が当接する立上片を設けたこと特徴とする請求項１〜３のいずれかに記載のラウンド型ショーケースの陳列棚。
【請求項５】
前記枠体の下面側に、前記第２ブラケットの先端部付近に上側から嵌合する切欠部を形成した立上片を設けたことを特徴とする請求項１〜４のいずれかに記載のラウンド型ショーケースの陳列棚。
【請求項６】
前記棚板は、平面視略コ字状の１枚の板状部材から構成されたことを特徴とする請求項１〜５のいずれかに記載のラウンド型ショーケースの陳列棚。
【発明の詳細な説明】
【０００１】
【発明の属する技術分野】
本発明は、冷蔵食品や生鮮食品等を陳列するラウンド型ショーケースの陳列棚に係り、特にブラケットへの取付構造に関するものである。
【０００２】
【従来の技術】
一般に、店舗内の中島のコーナー部には、ラウンド型ショーケースが用いられている。このラウンド型ショーケースは、三面が開口され、上部の天井部と背面を覆う背面部と下部の床部とでケーシングが一体に形成され、これら各部と内部パネルとの間に冷気を循環させるダクトを形成するとともに、庫内側に複数段の商品陳列棚を設けている。
【０００３】
このようなラウンド型ショーケースには、図４に示すように、平面視略コ字状に配置された複数の透明な板状部材から成る棚板３１と、当該棚板３１の外周側の端部に沿うように形成された枠体３２とから構成された陳列棚３０が用いられている。
当該枠体３２は、ラウンド型ショーケースの背面部に設けられた支柱２０の側方に取り付けられた２本の端部ブラケット２１，２１と、支柱２０の前方側角部に取り付けられた２本の中央ブラケット２２，２２との各先端部により載置され、固定されるとともに、その上面側に棚板３１が載置される支持板３２ａを有している。
このように、ラウンド型ショーケースの支柱２０に取り付けられた各ブラケット２１，２２に支持，固定された枠体３２の支持板３２ａ上に商品陳列を行う棚板３１を載置することにより、陳列棚３０がラウンド型ショーケース庫内に支持されることとなる。
【０００４】
【発明が解決しようとする課題】
しかし、従来の陳列棚３０は、前記各ブラケット２１，２２の先端部のみにより、枠体３２が支持される構造であった。従って、陳列棚３０を安定的に支持するために、各ブラケット２１，２２の先端部と枠体３２の支持板３２ａとにネジ穴を設け、上側から皿ネジ３２ｂを螺挿することにより、枠体３２を固定し、その上に棚板３１を載置するものであった。従って、陳列棚３０の取付位置を変更する場合には、前記支持板３２ａの上に載置された棚板３１を取り除き、その後に、皿ネジ３２ｂを取り外すことが必要であるため、作業に手間を要し、さらに、皿ネジ３２ｂの取り外しにドライバ等の工具が必要となっていた。
また、枠体３２を各ブラケット２１，２２に取り付ける際には、ネジ穴の位置合せを正確に行うことが必要となっていた。
【０００５】
そこで本発明は、各ブラケットに対し陳列棚を安定的に支持させることができるとともに、陳列棚の取付位置の変更作業を容易に行うことのできる陳列棚を提供することを目的とする。
【０００６】
【課題を解決するための手段】
上記の課題を解決するため、本発明は、ラウンド型ショーケース背面部の支柱から両側方に延長する一対の第１ブラケットと、前方斜め横方向に延長する一対の第２ブラケットとに載置されることにより、前記支柱に支持される陳列棚であって、平面視略コ字状の棚板と、当該棚板の外周側端部の下面を支持する棚板支持板を備えた枠体とから構成されるラウンド型ショーケースの陳列棚において、前記枠体に、前記第１ブラケットに沿って延長するとともに、当該第１ブラケットを上側から覆うように形成された一対の支持部材を備えたものである。この支持部材により、枠体を各ブラケットの先端部に対し皿ネジ等で固定することなく、安定的に支持させることが可能となり、取付位置の変更作業における陳列棚の取り付け作業又は取り外し作業を容易に行うことができる。
【０００７】
また、前記支持部材は、前記第１ブラケットの側面側に対し、着脱可能に固定する固定部材を備え、当該固定部材として、頭部に樹脂材を被覆したネジを用いることにより、第１ブラケットに対し、枠体をより確実に支持させることが可能となるとともに、ドライバ等の工具を用いることなく、陳列棚の取り外し作業等を容易に行うことができる。
【０００８】
さらに、前記枠体の下面側に、前記第１ブラケットの先端が当接する立上片を設けるとともに、前記第２ブラケットの先端部付近に上側から嵌合する切欠部を形成した立上片を設けることにより、棚位置の変更作業時において、各ブラケットに対する陳列棚の位置合わせがより容易となる。
【０００９】
なお、棚板として、平面視略コ字状の１枚の板状部材を用いることにより、枠体に棚板を載置した状態のまま、棚位置の変更作業を行うことができるため、作業性が向上することとなる。
【００１０】
【発明の実施の形態】
以下、本発明の一実施の形態を図面に基づいて説明する。図１は本実施の形態に係る陳列棚を示す平面図、図２は本実施の形態に係る陳列棚を示す斜視図、図３は本実施の形態に係る陳列棚を示す側面図である。
【００１１】
これらの図に示すように、本実施の形態に係る陳列棚１０は、ラウンド型ショーケースの背面部に設けられた支柱２０の左，右両側面部２０Ａ，２０Ａに設けられた係合孔２０ａに係合された２本の端部ブラケット２１，２１と、前側角部２０Ｂ，２０Ｂに設けられた係合孔２０ｂに係合された２本の中央ブラケット２２，２２とにより、支持されるものであり、前記端部ブラケット２１，２１を上側から覆うように形成された一対の支持部材１１，１１を備えたものである。
【００１２】
この陳列棚１０は、支柱２０に係合された端部ブラケット２１，２１及び中央ブラケット２２，２２により支持される枠体１２と、この枠体１２に支持される棚板１３とから構成される。棚板１３は、支柱２０の両側面部及び前面部を囲うように、平面視略コ字状に形成されたものであり、ガラス，アクリル等の１枚の透明な板状部材から成るものである。また、枠体１２は、略コ字状に形成された棚板１３の外周側端部を下面側から支持する支持板１２ａを備えており、当該支持板１２ａが、支柱２０に取り付けられた端部ブラケット２１，２１及び中央ブラケット２２，２２の各先端部に載置されることとなる。また、枠体１２の外周側端部の上面には立上片１２ｂが形成されており、この立上片１２ｂが棚板止め部として機能する。
【００１３】
本実施の形態では、この枠体１２の両後端部に、端部ブラケット２１，２１に沿って延長する支持部材１１，１１が取り付けられている。この支持部材１１は、下側に開口する断面コ字状に形成されており、端部ブラケット２１，２１を上側から覆うように、端部ブラケット２１，２１上に載置されるものである。これにより、枠体１２を端部ブラケット２１，２１に対し安定的に支持することが可能となる。また、本実施の形態では、この支持部材１１を端部ブラケット２１と略同様の長さに形成している。これにより、支持部材１１，１１を端部ブラケット２１，２１に取付ける際に、取付位置が略必然的に定まることとなるため、細かな位置合せ作業を不要とすることができる。さらに、この支持部材１１の内側板には、固定部材としてのネジ１１ａを螺挿するネジ穴１１ｂが設けられており、ネジ１１ａにより、端部ブラケット２１に対し、支持部材１１を確実に固定することができる。なお、ネジ穴１１ｂが支持部材１１の内側板に設けられているため、枠体１２の支持板１２ａ上に棚板１３が載置されたままの状態においても、ネジ１１ａを緩めることができる。また、このネジ１１ａとして、頭部をユリア樹脂等でカバーしたものを用いているので、取り外し作業等において、ドライバ等の工具を不要とすることができる。
【００１４】
また、枠体１２の外周側端部付近の下面側には、端部ブラケット２１，２１の各先端部が当接する立上片１２ｃが設けられている。さらに、支持板の内周側端部の下面側には、立上片１２ｄが設けられており、当該立上片１２ｄの角部には、中央ブラケット２２，２２の先端部付近に、上側から嵌合する切欠部１２ｅが形成されている。
この立上片１２ｃ及び切欠部１２ｅにより、各ブラケット２１，２２に対する枠体１２の位置決めがより容易かつ確実となるとともに、枠体１２を各ブラケット２１，２２上に載置した後における位置ずれをより確実に防止することができる。
【００１５】
なお、支持部材１１上面の支柱側端部付近には、弾性部材により形成された棚板受け部１２ｆが設けられており、図３に示すように、この棚板受け部１２ｆ及び支持板１２ａにより、棚板１３が枠体１２上において水平状態で支持されることとなる。
【００１６】
以上のように構成された陳列棚１０について取付位置の変更方法を説明する。
まず、固定部材としてのネジを緩め、端部ブラケット２１，２１に対する支持部材１１の固定状態を解除する。
次に、枠体１２を略垂直に持ち上げて、端部ブラケット２１，２１及び中央ブラケット２２，２２から枠体１２を取り外す。
その後、端部ブラケット２１，２１及び中央ブラケット２２，２２を支柱２０の所望の位置に掛け替える。
【００１７】
このように、支柱２０の所望の位置に係合された端部ブラケット２１，２１及び中央ブラケット２２，２２に対し、枠体１２を載置，固定する。この際、端部ブラケット２１，２１に対し支持部材１１の開口部を位置合わせするとともに、立上片１２ｃに端部ブラケット２１，２１の先端部を、切欠部１２ｅに中央ブラケット２２，２２の先端部付近をそれぞれ位置合わせして、枠体１２を載置する。なお、この場合、通常は、支持部材１１の位置合わせを行うことにより、他の位置も必然的に定まることとなるため、全ての位置合せを厳密に行う必要はない。
【００１８】
さらに、枠体１２を各ブラケット２１，２２に載置した後に、支持部材１１のネジ孔１１ｂに螺挿されたネジ１１ａを締め付け、枠体１２を端部ブラケット２１，２１に固定する。
【００１９】
なお、以上の作業においては、棚板１３を枠体１２上から取り除いてから行うこととしてもよいが、棚板１３を一枚の板状部材から構成することにより、枠体１２上に載置したまま行うことも可能となる。
【００２０】
以上のように、本実施の形態に係る陳列棚は、端部ブラケットに沿って延長するとともに、上側から把持するように形成された支持部材を備えたので、端部ブラケット又は中央ブラケットの各先端部に対し、上側から皿ネジ等で固定することなく、安定的に支持させることが可能となる。また、棚位置の変更作業時等において、陳列棚の取り外し作業を容易に行うことができる。この場合、前記支持部材を端部ブラケットと略同様の長さに形成することにより、端部ブラケットに対する取り付け作業において、取付位置が必然的に定まることとなるため、細かな位置合せ作業が不要となる。
また、前記支持部材を、端部ブラケットに対し、側面側からネジで固定することとしたので、ネジの取り外し作業において、棚板を取り除く必要がなくなる。また、頭部を樹脂で被覆したネジを用いたので、ネジの取り外しを手作業で行うことができる。
【００２１】
さらに、枠体の下面側に、端部ブラケットの先端が当接する立上片と、中央ブラケットに上側から嵌合する切欠部を形成した立上片とを備えたので、両ブラケット上に枠体を載置する際の位置決めがより容易となるとともに、取付後の位置ずれ等を防止することができる。
【００２２】
なお、棚板として平面視略コ字状に形成された１枚の板状部材を用いたので、取付位置の変更作業において、枠体から棚板を取り除くことなく、作業を行うことができる。また、この場合、棚板をアクリル等の樹脂材で構成することにより、コ字状の内周側角部をＲ形状に形成することができ、支柱との間の隙間を狭くすることが可能となる。
【００２３】
また、上記実施の形態では、端部ブラケットに対し支持部材をネジにより固定することとしているが、これに限られるものではなく、端部ブラケットに対する支持部材の位置ずれ等を防止することができるものであれば、他の構成を用いることとしてもよい。
【００２４】
【発明の効果】
以上説明したように、本発明のラウンド型ショーケースの陳列棚によれば、支持部材により、ブラケットに対し安定的に支持させることが可能となるとともに、取り外し作業も容易に行うことができる。
また、支持部材、立上片、切欠部により、ブラケットに対する枠体の位置合せが容易になるとともに、枠体の位置ずれ等を適切に防止することができる。
【図面の簡単な説明】
【図１】  本発明の一実施の形態に係るラウンド型ショーケース用陳列棚を示す平面図である。
【図２】  本発明の一実施の形態に係るラウンド型ショーケース用陳列棚を示す分解斜視図である。
【図３】  本発明の一実施の形態に係るラウンド型ショーケース用陳列棚の要部を示す側面図である。
【図４】  従来のラウンド型ショーケース用陳列棚を示す平面図である。
【符号の説明】
１０    陳列棚
１１    支持部材
１１ａ  ネジ
１１ｂ  ネジ孔
１２    枠体
１２ｃ  立上片
１２ｄ  立上片
１２ｅ  切欠部
１３    棚板
２０    支柱
２１    端部ブラケット
２２    中央ブラケット
【図１】
0004076124.tif 000002
【図２】
0004076124.tif 000003
【図３】
0004076124.tif 000004
【図４】
0004076124.tif 000005